(57)【要約】【課題】方立と縦枠の面内方向の連結強度を強くして縦枠に面内方向の力が作用した時に縦枠がぐらついたり、面内方向のたわみが発生しない連窓とする。【解決手段】方立本体１０と目板材２０で内向凹部２ａを有する方立２とし、この方立本体１０の面外方向一側寄りに係止凹部１５を形成すると共に、方立本体１０の面外方向他側寄りに係止凹部３２を有する方立アタッチメント３０を取付ける。縦枠４の面外方向一側寄りに前記係止凹部１５に係合する縦枠アタッチメント４０を取付けると共に、面外方向他側寄りに前記係止凹部３２に係合する係止片４５を設け、方立本体１０と縦枠４を面外方向両側部において係合して面内方向の連結強度を強くした連窓。【選択図】　　　図２
2004052347.tif 000002
【特許請求の範囲】
【請求項１】
隣接するサッシ窓の縦枠を方立で連結した連窓において、
前記方立は、方立本体と目板材で内向凹部を有すると共に、その内向凹部における面外方向一側寄りに係止部を有し、かつ内向凹部における面外方向他側寄りに係止部を備えた方立アタッチメントが取付けられ、
前記縦枠は、前記方立の内向凹部に嵌まり込んで面外方向に動かないように支持される形態で、その縦枠の面外方向他側寄りに前記方立アタッチメントの係止部に面外方向から係合する係止部を有し、かつ面外方向一側寄りに前記方立の係止部に面外方向から係合する縦枠アタッチメントが取付けてあることを特徴とする連窓。
【請求項２】
方立アタッチメントと縦枠アタッチメントはピースで、方立本体、縦枠に長手方向に位置をずらして取付けてある請求項１記載の連窓。
【請求項３】
方立アタッチメントは、本体の面外方向他側部に係止部を有すると共に、その面外方向他側部が方立の係止部に係合する形態で、その面外方向他側部が面外方向一側に向うように縦枠に取付けることで縦枠アタッチメントと兼用できるようにした請求項１又は２記載の連窓。
【発明の詳細な説明】
【０００１】
【発明の属する技術分野】
本発明は、隣接したサッシ窓を方立で連結した連窓に関する。
【０００２】
【従来の技術】
隣接したサッシ窓を方立で連結した連窓が種々提案されている。例えば、特開２００１−２８０００５号公報には、隣接したサッシ窓の縦枠を方立で連結した連窓が提案されている。
詳しくは、方立は、方立本体に目板材をビスで連結して内向凹部を有する形状で、縦枠は方立の内向凹部に嵌め込まれると共に、その面外方向一端部と方立本体がビスで固着されている。
【０００３】
【発明が解決しようとする課題】
前述の連窓においては、方立本体に縦枠の面外方向一端部をビスで固着し、その後に方立本体に目板材をビスで連結することで方立の内向凹部に縦枠が嵌まり込むように連結できるので、その方立と縦枠の連結作業がやり易い。
しかし、縦枠の面外方向一端部が方立本体にビスで固着されているが、縦枠の面外方向他端部は方立本体に接しているだけであるから、方立と縦枠の面内方向の連結強度が弱く、縦枠に面内方向の力が作用した時に縦枠の面外方向他端部が方立に対して面内方向に動き、縦枠がぐらついたり、面内方向のたわみが発生することがある。
例えば、サッシ窓が引き違い窓の場合には障子を閉じる際に障子が縦枠に当たることで面内方向一方に向う力が作用し、強風雨等でサッシ窓が面外方向に湾曲した時に面内方向他方に向う力が作用する。
【０００４】
本発明は前述の課題に鑑みなされたものであり、その目的は、方立と縦枠の面内方向の連結強度が強く、縦枠に面内方向の力が作用した時に縦枠がぐらついたり、面内方向のたわみが発生しないようにした連窓を提供することである。
【０００５】
【課題を解決するための手段】
第１の発明は、隣接するサッシ窓の縦枠を方立で連結した連窓において、
前記方立は、方立本体と目板材で内向凹部を有すると共に、その内向凹部における面外方向一側寄りに係止部を有し、かつ内向凹部における面外方向他側寄りに係止部を備えた方立アタッチメントが取付けられ、
前記縦枠は、前記方立の内向凹部に嵌まり込んで面外方向に動かないように支持される形態で、その縦枠の面外方向他側寄りに前記方立アタッチメントの係止部に面外方向から係合する係止部を有し、かつ面外方向一側寄りに前記方立の係止部に面外方向から係合する縦枠アタッチメントが取付けてあることを特徴とする連窓である。
【０００６】
第２の発明は、第１の発明において方立アタッチメントと縦枠アタッチメントはピースで、方立本体、縦枠に長手方向に位置をずらして取付けてある連窓である。
【０００７】
第３の発明は、第１又は第２の発明において方立アタッチメントは、本体の面外方向他側部に係止部を有すると共に、その面外方向他側部が方立の係止部に係合する形態で、その面外方向他側部が面外方向一側に向うように縦枠に取付けることで縦枠アタッチメントと兼用できるようにした連窓である。
【０００８】
【作　用】
第１の発明によれば、方立の係止部と縦枠アタッチメントが係合して面内方向に動かないように連結されると共に、縦枠の係止部が方立アタッチメントの係止部に係合して面内方向に動かないように連結される。
よって、方立と縦枠は面外方向一側部と面外方向他側部において面内方向に動かないように連結されるので、方立と縦枠の面内方向の連結強度が強く、縦枠に面内方向の力が作用した時に縦枠がぐらついたり、面内方向のたわみが発生しない連窓とすることができる。
【０００９】
第２の発明によれば、方立本体に対して縦枠を面外方向に移動することで方立の係止部と縦枠アタッチメント、縦枠の係止部と方立アタッチメントの係止部がそれぞれ係合するので、方立本体と縦枠を簡単に連結できて施工性が向上する。
【００１０】
第３の発明によれば、方立アタッチメントと縦枠アタッチメントを兼用できるから、部品点数を少なくしてコストを安くできる。
【００１１】
【発明の実施の形態】
図１に示すように、隣接するサッシ窓１が方立２で連結されて連窓を形成している。
前記方立２は連窓取付開口部３（例えば、建物躯体開口部）の上内面３ａと下内面３ｂに亘って取付けてある。
サッシ窓１は縦枠４と上枠５と下枠６で方形枠となったサッシ枠７に図示しない障子を装着した引き違い窓である。なお、引き違い窓に限ることはなく、嵌め殺し窓、回転窓、開き窓などでも良い。
【００１２】
方立２は図２に示すように、方立本体１０と目板材２０で面内方向内側に開口した内向凹部２ａを有すると共に、その内向凹部２ａの面外方向一側寄りに係止部２ｂを有し、前記内向凹部２ａの面外方向他側寄りに方立アタッチメント３０が取付けてある。
【００１３】
前記縦枠４は方立２の内向凹部２ａに嵌まり込んで面外方向に動かないように支持される形態で、この縦枠４の面外方向一側部には縦枠アタッチメント４０が取付けてあると共に、面外方向他側部には係止部４ａが設けてある。
前記縦枠アタッチメント４０が前記方立２の係止部２ｂに面外方向から係合すると共に、係止部４ａが前記方立アタッチメント３０の係止部に面外方向から係合し、縦枠４の面外方向一側部及び面外方向他側部が方立２にそれぞれ面内方向に動かないように連結される。
【００１４】
このようであるから、方立２と、縦枠４の面内方向の連結強度が強く、縦枠４に面内方向一方に向う力（方立２に接近する方向の力）、面内方向他方に向う力（方立２と離れる方向の力）が作用した時に縦枠４が方立２に対して面内方向に動くことがなく、縦枠４がぐらついたり、面内方向のたわみが発生することがない。
【００１５】
次に方立２、縦枠４の具体形状の一例を説明する。
前記方立本体１０は面外方向一側板１１と、面外方向他側板１２と、この面外方向一側板１１と面外方向他側板１２を連続する面外方向に向う側面板１３と、この側面板１３よりも面内方向内側に突出した面外方向一側の突出部１４を有する。
前記側面板１３の面外方向一側寄りには係止凹部１５を有し、この係止凹部１５は面外方向他側に向けて開口して前記係止部２ｂを構成している。この実施の形態では側面板１３と突出部１４で係止凹部１５を形成しているが、側面板１３に鉤片を一体的に設けて係止凹部１５としても良い。
前記方立本体１０の側面板１３における面外方向他側寄りに前記方立アタッチメント３０がビス３１で固着され、この方立アタッチメント３０は係止部、例えば面内方向他側に開口した係止凹部３２を有する。
【００１６】
前記目板材２０は方立本体１０の面外方向他側部、例えば前記面外方向他側板１２にビス２１で連結され、この目板材２０は側面板１３よりも面内方向内側に突出している。
この実施の形態では目板材２０には気密材２２が装着されていると共に、化粧キャップ２３が取付けてある。
なお、化粧キャップ２３は取付けしなくとも良い。
【００１７】
前記方立本体１０は一対の側面板１３と一対の突出部１４を有し、方立２は一対の内向凹部２ａを有する。なお、方立２を連窓の面内方向端部の取付縦枠とする場合には、方立本体１０が１つの側面板１３と１つの突出部１４を有して方立２は１つの内向凹部２ａを有する形態とすれば良い。
また、前述の実施の形態では面外方向一側板１１と目板材２０が面内方向に向けて略く字形状で、入隅用の角度方立であるが、これに限ることはなく、出隅用の角度方立、通常の方立でも良いことは勿論である。
【００１８】
前記縦枠４は面外方向一側部４１と面外方向他側部４２を面外方向に向う連結部４３で一体的に連結した形態で、その面外方向一側部４１の連結部４３よりも面内方向外側に突出した部分に前記縦枠アタッチメント４０がビス４４で固着してあり、この縦枠アタッチメント４０が前記係止凹部１５に係合する。
前記面外方向他側部４２に係止片４５が面外方向一側に向けて設けてあり、この係止片４５が方立アタッチメント３０の係止凹部３２に係合し、その係止片４５が前記係止部４ａを構成する。
【００１９】
この実施の形態では面外方向一側部４１は面内方向に向う第１板４１ａと面外方向に向う第２板４１ｂで鉤形状で、その第２板４１ｂに縦枠アタッチメント４０がビス４４で取付けてある。
前記面外方向他側部４２は面内方向に向う板状で、前記係止片４５が一体的に設けられて鉤形状となっている。
【００２０】
この実施の形態では方立アタッチメント３０、縦枠アタッチメント４０は図３に示すように、短尺（ピース）で、方立本体１０、縦枠４に長手方向に位置をずらして取付けてあり、方立本体１０に対して縦枠４を面外方向他側から面外方向一側に向けて矢印ａで示すように移動した時に縦枠アタッチメント４０が方立アタッチメント３０に干渉しないようにしてある。
【００２１】
このようであるから、目板材２０を外した状態で方立本体１０に対して縦枠４を面外方向他側から面外方向一側に向けてほぼ平行に移動する際に、縦枠アタッチメント４０が方立アタッチメント３０と干渉することがなく、縦枠アタッチメント４０が係止凹部１５に係合すると同時に係止片４５が方立アタッチメント３０の係止凹部３２に係合する。詳しくは、隣接した方立２の方立本体１０間に枠組みしたサッシ枠７を面外方向に移動して押し込むことで前述のように係合する。
よって、方立本体１０に縦枠４を簡単に連結することでき、施工性が良い。
前述のように連結した後に方立本体１０に目板材２０を取付けて内向凹部２ａを形成して縦枠４を面外方向に動かないように支持する。
【００２２】
図３は方立アタッチメント３０、縦枠アタッチメント４０の長手方向の位置関係を説明するもので、方立２（方立本体１０）、縦枠４は輪郭を仮想線で示し、方立アタッチメント３０、縦枠アタッチメント４０は輪郭のみを実線で示してある。
また、方立アタッチメント３０、縦枠アタッチメント４０は２つとしてあるが、３つ以上であっても良いし、１つでも良い。
なお、方立アタッチメント３０、縦枠アタッチメント４０は長尺で方立２（方立本体１０）、縦枠４の長手方向ほぼ全長に亘って取付けても良いし、ピースとして長手方向に同一位置としても良い。
【００２３】
前記方立アタッチメント３０は本体３３の面外方向他側部に係止凹部３２（係止部）を有し、かつその面外方向他側部が方立本体１０の係止凹部１５（係止部２ｂ）に係合する形態で、この方立アタッチメント３０を面外方向に反転することで縦枠アタッチメント４０と兼用できる。
【００２４】
例えば、前記方立アタッチメント３０は面外方向に向う本体３３の面内方向一側面における面外方向他側寄りに鉤片３４、本体３３の面内方向他側面における面外方向他側寄りに面外方向の位置決め部、例えば第１・第２横向片３５ａ，３５ｂを一体的に設けた形態で、本体３３と鉤片３４で前述の係止凹部３２を形成していると共に、鉤片３４と第１・第２横向片３５ａ，３５ｂが前記係止凹部１５に係合する。
この方立アタッチメント３０の本体３３をビス３１で側面板１３に固着して取付けられる。
前記縦枠アタッチメント４０は方立アタッチメント３０と同一断面形状で、面外方向反対向きとして本体３３をビス４４で取付けて固着し、鉤片３４と第１・第２横向片３５ａ，３５ｂが係止凹部１５に係合するようにしてある。
【００２５】
このようであるから、方立アタッチメント３０と縦枠アタッチメント４０を兼用でき、部品点数を少なくできる。
なお、方立アタッチメント３０と縦枠アタッチメント４０は別々の形状としても良い。
【００２６】
前記方立本体１０の側面板１３における面外方向他側寄りには面外方向位置決め部、例えば第１・第２突片１６ａ，１６ｂが設けてあり、前記方立アタッチメント３０を面外方向に異なる複数の位置、例えば２つの位置に位置決めして取付けできる。
例えば、図２に示すように第１・第２横向片３５ａ，３５ｂ間に第２突片１６ｂを嵌合することで面外方向一側寄りの第１の位置に位置決めでき、図４に示すように第１・第２横向片３５ａ，３５ｂ間に第１突片１６ａを嵌合することで面外方向他側寄りの第２の位置に位置決めできる。
この場合に、ビス３１をテクスビスとして方立アタッチメント３０の孔から側面板１３に螺合する。なお、方立アタッチメント３０に長孔を形成すると共に、側面板１３にビス孔を形成しても良い。
【００２７】
このようであるから、図４に示すように方立２を面外方向に反転して出隅用の角度方立とした場合に、縦枠４の面外方向一側部４１（図２の面外方向他側部４２）を目板材２０に当接し、面外側方向他側部４２（図２の面外方向一側部４１）と方立本体１０の突出部１４に離隔させ、その突出部１４に設けた気密材２２に圧接できる。
しかも、前述の面外方向他側部４２と突出部１４との離隔寸法（目地幅）を図２に示す目板材２０と面外方向他側部４２との離隔寸法（目地幅）と同一にでき、同一気密材２２を用いて確実に気密・水密できる。
【００２８】
すなわち、図２に示す入隅用の角度方立とした場合には目板材２０が室外側（面外方向他側）となるが、図４に示す出隅用の角度方立とした場合には目板材２０が室内側（面外方向一側）となるので、縦枠４を方立２に対して面外方向一側に向けて移動して室外側において気密・水密できるようにする。
【００２９】
前述の方立アタッチメント３０の面外方向位置決め部、方立本体１０の面外方向位置決め部は横向片、突片に限ることはなく、突部と凹部などでも良く、要するに方立アタッチメント３０を面外方向複数の位置、好ましくは面外方向の２つの位置に位置決めできるものであれば良い。
【００３０】
また、方立アタッチメント３０は面外方向位置決め部（第１・第２横向片３５ａ，３５ｂと第１・第２突片１６ａ，１６ｂ）で回り止めされるので、一本のビスによってビス止めする際に方立アタッチメント３０が回転しないから、そのビス止めの作業がやり易い。
【００３１】
前記方立２は図１に示すように、連窓取付開口部３に上下のアンカー５０で連結され、その上面２ｃと連窓取付開口部３の上内面３ａとの間に隙間Ｓを有していると共に、上のアンカー５０が方立２に対して上下方向に移動可能である。
よって、連窓取付開口部３の上内面３ａが下向きに湾曲変位（いわゆる、建物クリープ）した時に上のアンカー５０が方立２に対して下方に移動し、方立２の長手方向に大きな外力が作用しない。
したがって、建物クリープによって方立２が曲がることがない。
方立２の下面２ｄは連窓取付部３の下内面３ｂに接しているが、隙間を有していても良い。
【００３２】
前記アンカー５０は図２と図５に示すように、縦片５１と横片５２を備え、その横片５２が連窓取付開口部３の上内面３ａ、下内面３ｂに固着される。例えば、連窓取付開口部３が木製であれば木ねじで固着し、コンクリートやＰＣ板などであれば差筋に溶接して固着する。
前記方立本体１０の側面板１３にはあり溝１７が長手方向全長に亘って有する。このあり溝１７は面内方向内側に開口しているが、面内方向外側に開口しても良い。
前記あり溝１７に縦片５１が長手方向に摺動自在に嵌合し、方立本体１０（方立２）はアンカー５０に対して面外方向、面内方向に動かないと共に、長手方向に相対的に移動するように連結される。
前記縦片５１が方立本体１０の側面板１３に固着具、例えばビス５３で長手方向の力によって長手方向に相対的に移動可能に連結される。例えば、縦片５１の長手方向の長孔５４からビス５３を側面板１３のあり溝１７の底壁部分１７ａに形成したビス孔１８に螺合して固着する。
図２において、方立本体１０には補強材６０がビス６１で固着してある。
【００３３】
前記方立アタッチメント３０の係止部を係止片、縦枠４の係止部４ａを係止凹部としても良いし、前記方立本体１０の係止部２ｂを係止片とし、かつ縦枠アタッチメント４０に係止凹部を形成しても良い。
【００３４】
【発明の効果】
請求項１に係る発明によれば、方立の係止部と縦枠アタッチメントが係合して面内方向に動かないように連結されると共に、縦枠の係止部が方立アタッチメントの係止部に係合して面内方向に動かないように連結される。
よって、方立と縦枠は面外方向一側部と面外方向他側部において面内方向に動かないように連結されるので、方立と縦枠の面内方向の連結強度が強く、縦枠に面内方向の力が作用した時に縦枠がぐらついたり、面内方向のたわみが発生しない連窓とすることができる。
【００３５】
請求項２に係る発明によれば、方立本体に対して縦枠を面外方向に移動することで方立の係止部と縦枠アタッチメント、縦枠の係止部と方立アタッチメントの係止部がそれぞれ係合するので、方立本体と縦枠を簡単に連結できて施工性が向上する。
【００３６】
請求項３に係る発明によれば、方立アタッチメントと縦枠アタッチメントを兼用できるから、部品点数を少なくしてコストを安くできる。
【図面の簡単な説明】
【図１】連窓の概略内観図である。
【図２】図１のＡ−Ａ拡大横断面図である。
【図３】方立アタッチメントと縦枠アタッチメントの取付け位置の説明図である。
【図４】出隅用の角度方立とした場合の横断面図である。
【図５】方立本体とアンカーの分解斜視図である。
【符号の説明】
１…サッシ窓、２…方立、２ａ…内向凹部、２ｂ…係止部、３…連窓取付開口部、４…縦枠、４ａ…係止部、１０…方立本体、１５…係止凹部（係止部）、２０…目板材、３０…方立アタッチメント、３２…係止凹部（係止部）、３３…本体、３４…鉤片、４０…縦枠アタッチメント、５０…アンカー。
【図１】
2004052347.tif 000003
【図２】
2004052347.tif 000004
【図３】
2004052347.tif 000005
【図４】
2004052347.tif 000006
【図５】
2004052347.tif 000007